(57)【要約】【課題】本発明は、電気温水器などに内蔵されている風呂の追い焚き用の温水熱交換器を小型化するにより、経済的で日本の住宅事情にマッチした機器を提供することを目的としたものである。【解決手段】湯を貯める貯湯タンク２と、この貯湯タンク２と接続し、内部に温水を循環させる熱交換パイプ２１を有した温水熱交換器２２と、この温水熱交換器２２内に貯湯タンク２内の湯を循環させる循環ポンプ２７とを備え、前記熱交換パイプの１次側あるいは２次側の少なくともどちらか一方はコイル状に巻いた部分があり、１次側あるいは２次側のどちらか一方はコイル状に巻いた部分の内側を通る構成とすることで、温水熱交換器２２の小型化を可能にしている。【選択図】　図１
2004144366.tif 000002
【特許請求の範囲】
【請求項１】
湯を貯める貯湯タンクと、この貯湯タンクと接続し、内部に温水を循環させる熱交換パイプを有し、この熱交換パイプで浴槽水の加熱を行う温水熱交換器と、この温水熱交換器内に貯湯タンク内の湯を循環させる循環ポンプと、前記温水熱交換器に浴槽水を循環させる風呂循環ポンプとを備え、前記熱交換パイプの１次側あるいは２次側の少なくともどちらか一方はコイル状に巻いた部分を有し、１次側あるいは２次側のどちらか一方はコイル状に巻いた部分の内側を通る構成とした温水熱交換器内蔵型貯湯タンクユニット。
【請求項２】
湯を貯める貯湯タンクと、この貯湯タンクと接続し、内部に温水を循環させる第１熱交換パイプと第２熱交換パイプを有し、この第１熱交換パイプと第２熱交換パイプの両方、あるいはどちらか一方で浴槽水の加熱を行う温水熱交換器と、この温水熱交換器内に貯湯タンク内の湯を循環させる循環ポンプと、前記温水熱交換器に浴槽水を循環させる風呂循環ポンプとを備え、前記第１熱交換パイプの１次側あるいは２次側の少なくともどちらか一方はコイル状に巻いた部分を有し、なおかつ１次側あるいは２次側のどちらか一方はコイル状に巻いた部分の内側を通るようにし、第２熱交換器の１次側と２次側の少なくともどちらか一方はコイル状に巻いた部分を有し、なおかつ１次側あるいは２次側のどちらか一方はコイル状に巻いた部分の内側を通るようにし、なおかつ１次側と２次側は共に第１熱交換器のコイル状に巻いた部分の内側を通る構成とした温水熱交換器内蔵型貯湯タンクユニット。
【請求項３】
湯を貯める貯湯タンクと、この貯湯タンクと接続し、内部に温水を循環させる熱交換パイプを有し、この熱交換パイプで浴槽水の加熱を行う温水熱交換器と、この温水熱交換器内に貯湯タンク内の湯を循環させる循環ポンプと、前記温水熱交換器に浴槽水を循環させる風呂循環ポンプとを備え、前記熱交換パイプの１次側はコイル状に巻いた部分を有し、２次側は１次側のコイル状に巻いた部分の内側を通るようにし、前記温水熱交換器は貯湯タンクの上部より湯を取り入れ、この取り入れた湯を１次側と対向するように循環し、前記循環ポンプは温水熱交換器から貯湯タンクへの戻り側に接続する構成とした温水熱交換器内蔵型貯湯タンクユニット。
【請求項４】
湯を貯める貯湯タンクと、この貯湯タンクと接続し、内部に温水を循環させる第１熱交換パイプと第２熱交換パイプを有し、この第１熱交換パイプと第２熱交換パイプの両方、あるいはどちらか一方で浴槽水の加熱を行う温水熱交換器と、この温水熱交換器内に貯湯タンク内の湯を循環させる循環ポンプと、前記温水熱交換器に浴槽水を循環させる風呂循環ポンプとを備え、前記第１熱交換パイプの１次側はコイル状に巻いた部分を有し、２次側は１次側のコイル状に巻いた部分の内側を通るようにし、第２熱交換パイプの１次側はコイル状に巻いた部分を有し、２次側は１次側のコイル状に巻いた部分の内側を通るようにし、なおかつ１次側と２次側は共に第１熱交換パイプの１次側のコイル状に巻いた部分の内側を通るようにし、前記温水熱交換器は貯湯タンクの上部より湯を取り入れ、この取り入れた湯を前記第１熱交換パイプの１次側および、第２熱交換パイプの１次側と対向するように循環し、前記循環ポンプは温水熱交換器から貯湯タンクへの戻り側に接続する構成とした温水熱交換器内蔵型貯湯タンクユニット。
【発明の詳細な説明】
【０００１】
【発明の属する技術分野】
本発明は、主として風呂加熱機能を備えた電気温水器関するものである。
【０００２】
【従来の技術】
従来のこの種の温水熱交換器内蔵型長湯タンクユニットは、図４（ａ）と図４（ｂ）に示すような構成となっていた。
【０００３】
以下、その構成を図に基づいて説明する。図４（ａ）において、３１は電気温水器の製品、３２は円筒形状の貯湯タンクで、給水管３３から給水が行われ、加熱ヒータ３４により温められた湯は出湯管３５から出湯される。３６は浴槽で、電気温水器３１と接続して浴槽３６への湯張りと追い焚きを行うための浴槽循環口３７を備えている。３８は往き配管、３９は戻り配管で、戻り配管３９と接続する電気温水器３１内部では、浴槽水の温度を検出する風呂サーミスタ４０、風呂循環ポンプ４１を介して浴槽水の追い焚きを行う電気ヒータ式熱交換器４２を通り、往き配管３８に戻るように接続されている。
【０００４】
図４（ｂ）は電気式熱交換器４２の代わりに貯湯タンク３２と接続し、追い焚き用ポンプ４３により貯湯タンク３２の湯を循環させ、内部に浴槽水を循環させるコイル状に巻いた１次側パイプ４４（ＩＮ側）と２次側パイプ４５（ＯＵＴ側）より為る熱交換パイプ４６を有した温水熱交換器４７を内蔵することにより追い焚きを行うタイプの電気温水器である。
【０００５】
【発明が解決しようとする課題】
近年、電気温水器の場合、風呂の保温機能だけでなく追い焚き機能への要望が高まっている。また、貯湯容量の大型化が進み製品の外形寸法は大きくなる傾向にあるが、日本の住宅事情を考えると設置床面積は小さい事が望まれている。
【０００６】
しかしながら、短時間で浴槽水を加熱し、使い勝手を良くしようとすると、ワット数の大きな電気ヒータが必要となりランニングコストが高くなる。
【０００７】
電気温水器を使用するユーザの期待としては、出来るだけ安価な深夜電力を効率的に利用してランニングコストでメリットを出そうとするものであり、単価の高い昼間電力を使用して浴槽水を加熱することは、深夜電力を利用して温めた湯の寄与率がゼロとなり、必ずしもユーザの期待に添ったものでないという課題を有していた。
【０００８】
そこで、深夜電力を利用して温めた湯を浴槽水と熱交換して追い焚きを行う温水熱交換器を備えたものは、高温の湯を利用することにより短時間で追い焚きすることが可能であるとともに、熱交換器を貯湯タンクから独立させて設けたタイプのものは、メンテナンス製に優れるが、十分な追い焚き能力を確保しようとすると熱交換器が大きくなり、結果として製品の設置床面積が大きくなるという課題を有していた。
【０００９】
一方、２次側パイプのみを温水熱交換器の外側に出す構成とすれば、温水熱交換器の容積を小さくできるが、２次側パイプが浴槽水の加熱に寄与せず追い焚き能力が低下してしまう。追い焚き能力が低下すると、温水熱交換器から貯湯タンクに戻る湯温が上昇し、貯湯タンクから温水熱交換器に湯を循環している追い焚き用ポンプの熱的ストレスが増加し、追い焚き用ポンプが劣化しやすくなるという課題を有していた。
【００１０】
【課題を解決するための手段】
本発明は上記課題を解決するために、湯を貯める貯湯タンクと、この貯湯タンクと接続し、内部に温水を循環させる熱交換パイプを有し、この熱交換パイプで浴槽水の加熱を行う温水熱交換器と、この温水熱交換器内に貯湯タンク内の湯を循環させる循環ポンプと、前記温水熱交換器に浴槽水を循環させる風呂循環ポンプとを備え、前記熱交換パイプの１次側あるいは２次側の少なくともどちらか一方はコイル状に巻いた部分を有し、１次側あるいは２次側のどちらか一方はコイル状に巻いた部分の内側を通る構成としている。
【００１１】
上記発明によれば、熱交換パイプの１次側あるいは２次側のどちらか一方がコイル巻きの内側を通ることにより、温水熱交換器を小型化することができ、日本の住宅事情に適した機器を提供することができる。
【００１２】
【発明の実施の形態】
本発明の請求項１に記載した温水熱交換器内蔵型貯湯タンクユニットは、湯を貯める貯湯タンクと、この貯湯タンクと接続し、内部に温水を循環させる熱交換パイプを有し、この熱交換パイプで浴槽水の加熱を行う温水熱交換器と、この温水熱交換器内に貯湯タンク内の湯を循環させる循環ポンプと、前記温水熱交換器に浴槽水を循環させる風呂循環ポンプとを備え、前記熱交換パイプの１次側あるいは２次側の少なくともどちらか一方はコイル状に巻いた部分を有し、１次側あるいは２次側のどちらか一方はコイル状に巻いた部分の内側を通る構成としている。
【００１３】
そして、熱交換パイプの１次側あるいは２次側のどちらか一方がコイル状に巻いた部分の内側を通ることにより、温水熱交換器を小型化することができ、さらに、温水熱交換器が小さいことにより熱交換パイプ近傍に沿って貯湯タンクの湯が循環することと、温水熱交換器表面からの放熱量を低減できることにより熱交換率を向上させることができ、経済的で日本の住宅事情にマッチした機器を提供することができる。
【００１４】
本発明の請求項２に記載した温水熱交換器内蔵型貯湯タンクユニットは、湯を貯める貯湯タンクと、この貯湯タンクと接続し、内部に温水を循環させる第１熱交換パイプと第２熱交換パイプを有し、この第１熱交換パイプと第２熱交換パイプの両方、あるいはどちらか一方で浴槽水の加熱を行う温水熱交換器と、この温水熱交換器内に貯湯タンク内の湯を循環させる循環ポンプと、前記温水熱交換器に浴槽水を循環させる風呂循環ポンプとを備え、前記第１熱交換パイプの１次側あるいは２次側の少なくともどちらか一方はコイル状に巻いた部分を有し、なおかつ１次側あるいは２次側のどちらか一方はコイル状に巻いた部分の内側を通るようにし、第２熱交換器の１次側と２次側の少なくともどちらか一方はコイル状に巻いた部分を有し、なおかつ１次側あるいは２次側のどちらか一方はコイル状に巻いた部分の内側を通るようにし、なおかつ１次側と２次側は共に第１熱交換器のコイル状に巻いた部分の内側を通る構成としている。
【００１５】
そして、第１熱交換パイプの１次側あるいは２次側のどちらか一方と、第２熱交換パイプの１次側と２次側は共に第１熱交換パイプのコイル状に巻いた部分の内側を通る構成としているので、２つの熱交換パイプを備えたとしても、温水熱交換器の高さ方向のみを大きくすればよく、１次熱交換パイプと２次熱交換パイプの各々の１次側同士と、２次側同士を一体的に接続すれば、電気温水器の設置床面積を大きくすることなしに温水熱交換器の能力を向上できる。
【００１６】
また、コイル状に巻いた熱交換パイプの内側を通る熱交換パイプが温水熱交換器内を循環する流れの抵抗となり、攪拌効果により熱交換率が向上し、さらに熱交換器を小型化することができる。
【００１７】
本発明の請求項３に記載した温水熱交換器内蔵型貯湯タンクユニットは、湯を貯める貯湯タンクと、この貯湯タンクと接続し、内部に温水を循環させる熱交換パイプを有し、この熱交換パイプで浴槽水の加熱を行う温水熱交換器と、この温水熱交換器内に貯湯タンク内の湯を循環させる循環ポンプと、前記温水熱交換器に浴槽水を循環させる風呂循環ポンプとを備え、前記熱交換パイプの１次側はコイル状に巻いた部分を有し、２次側は１次側のコイル状に巻いた部分の内側を通るようにし、前記温水熱交換器は貯湯タンクの上部より湯を取り入れ、この取り入れた湯を１次側と対向するように循環し、前記循環ポンプは温水熱交換器から貯湯タンクへの戻り側に接続する構成としているので、高温の湯が貯められている貯湯タンクの上部より取り入れた湯を、温度の下がった浴槽水の流れる１次側と対向するように循環させながら熱交換するので、より短時間で効率良く風呂の追い焚きが行えるとともに、熱交換率のさらなる向上によりさらに温水熱交換器を小型化することが可能となる。
【００１８】
また、１次側と熱交換した後の温度の下がった湯が流れる、温水熱交換器から貯湯タンクへの戻り側に循環ポンプを接続することにより、循環ポンプにかかる熱的ストレスが低減され、循環ポンプの劣化を防ぐことができる。
【００１９】
本発明の請求項４に記載した温水熱交換器内蔵型貯湯タンクユニットは、湯を貯める貯湯タンクと、この貯湯タンクと接続し、内部に温水を循環させる第１熱交換パイプと第２熱交換パイプを有し、この第１熱交換パイプと第２熱交換パイプの両方、あるいはどちらか一方で浴槽水の加熱を行う温水熱交換器と、この温水熱交換器内に貯湯タンク内の湯を循環させる循環ポンプと、前記温水熱交換器に浴槽水を循環させる風呂循環ポンプとを備え、前記第１熱交換パイプの１次側はコイル状に巻いた部分を有し、２次側は１次側のコイル状に巻いた部分の内側を通るようにし、第２熱交換パイプの１次側はコイル状に巻いた部分を有し、２次側は１次側のコイル状に巻いた部分の内側を通るようにし、なおかつ１次側と２次側は共に第１熱交換パイプの１次側のコイル状に巻いた部分の内側を通るようにし、前記温水熱交換器は貯湯タンクの上部より湯を取り入れ、この取り入れた湯を前記第１熱交換パイプの１次側および、第２熱交換パイプの１次側と対向するように循環し、前記循環ポンプは温水熱交換器から貯湯タンクへの戻り側に接続する構成としているので、高温の湯が貯められている貯湯タンクの上部より取り入れた湯を、第１熱交換パイプの１次側および第２熱交換パイプの１次側と対向するように循環させながら熱交換するので、効率良く熱交換することができる。そして、１次熱交換パイプと２次熱交換パイプの各々の１次側同士と、２次側同士を一体的に接続すれば、電気温水器の設置床面積を大きくすることなしに温水熱交換器の能力を向上できるだけでなく、温水熱交換器のさらなる小型化と、温水熱交換器から貯湯タンクへ戻る湯温をより低下でき、熱的ストレスによる循環ポンプの劣化が防げる。
【００２０】
また、最も高温の湯が循環する第２熱交換パイプを負荷の大きな浴槽水の追い焚き用とし、第１熱交換パイプを負荷の小さな他の機器に使用とすることも可能である。
【００２１】
【実施例】
以下、本発明の実施例について図面を用いて説明する。
【００２２】
（実施例１）
図１（ａ）は本発明の実施例１における温水熱交換器内蔵型貯湯タンクユニットのシステム構成図、図１（ｂ）は実施例１の温水熱交換器の部分断面図、図１（ｃ）は実施例１の温水熱交換器の断面図、図２は実施例１の製品の部分断面斜視図である。
【００２３】
図１（ａ）、図１（ｂ）、図１（ｃ）、図２において、１は電気温水器の製品で、２は円筒状の貯湯タンク、３は水道管、４は給水圧を減圧する減圧弁、５は給水管、６は貯湯タンク２内に臨むように取り付けられた加熱ヒータ、７は電動式の混合弁で貯湯タンク２と配管接続された給湯パイプ８と給水管５に配管接続されていて、設定温度に応じて内蔵されている弁体（図示せず）の開度比率を制御することで所望の温度の混合水を得る構成としてある。９は混合された混合水の温度を検知する温度検出器である入水サ―ミスタ、１０は出湯管で、給湯口であるカラン１１に接続されている。１２は出湯管１０から分岐された風呂パイプ１３に接続された風呂注湯開閉弁である。１４は浴槽で、電気温水器１と接続して、浴槽１４への湯張りと追い焚きを行うための浴槽循環口Ｗを備えている。１５は往き配管、１６は戻り配管、１７は往き管接続口、１８は戻り管接続口である。なお、電気温水器１内部では戻り管接続口１８から浴槽水の温度を検出するふろサーミスタ１９、風呂循環ポンプ２０を介して熱交換パイプ２１を内蔵した円筒状の温水熱交換器２２を通り、往き管接続口１７に戻るように接続し、風呂循環の経路を形成している。熱交換パイプ２１は１次側となるコイル状に巻いた部分のある１次側パイプ２３（ＩＮ側）と、コイル状に巻いた部分の内側を通り２次側となる２次側パイプ２４（ＯＵＴ側）を一体的に接続することより構成されている。温水熱交換器２２は、貯湯タンク２と接続された往き側パイプ２５と戻り側パイプ２６により接続されており、往き側パイプ２５は貯湯タンク２の上部と接続し、戻り側パイプ２６には貯湯タンク２の湯を温水熱交換器２２内に導き、熱交換パイプ２１と熱交換させた後に再び湯を貯湯タンク２へと戻す循環ポンプ２７が取り付けられている。２８は風呂注湯分岐管で、一方を風呂循環ポンプ２０と配管接続し、他方を熱交換パイプ２１の１次側パイプ２３と接続し、風呂循環の経路より浴槽１４への湯張りを行うようになっている。
【００２４】
次に以上のような構成にて動作を説明する。まず、カラン１１が開かれて給湯が行われると、入水サーミスタ９で検出される湯温と設定温度を比較し、設定温度になるように混合弁７により貯湯タンク２の湯と給水管５からの水道水を混合する。
【００２５】
次に浴槽１４に湯張りを行う場合は、風呂リモコンの自動湯張りスイッチ（図示せず）をオンにすると、風呂注湯開閉弁１２がオンして開弁し湯張りが開始される。その経路は、混合弁７で設定温度に混合された湯が、風呂パイプ１３を通り、弁開状態となった風呂注湯開閉弁１２から風呂循環の経路に供給され、往き配管１５および戻り配管１６から浴槽１４に供給され、湯張りが完了すると風呂注湯開閉弁１２はオフして閉弁状態となる。
【００２６】
次に浴槽水の追い焚き動作について説明する。浴槽水は一定時間ごとに風呂循環ポンプ２０を駆動して戻り配管１６から温水熱交換器２２を通って往き配管１５で浴槽１４に戻される。この間に、ふろサーミスタ１９で浴槽水の温度を検出し、設定温度より低ければ循環ポンプ２７が駆動し、貯湯タンク２の湯を温水熱交換器２２内に循環させ熱交換パイプ２１で浴槽水を加熱するようになっている。浴槽水が設定温度に回復すると風呂循環ポンプ２０と循環ポンプ２７は停止し、追い焚き動作が完了する。
【００２７】
尚、本実施例では、１次側パイプ２３をコイル状に巻き、２次側パイプ２４をコイル巻きの内側を通すようにしたが、２次側パイプ２４をコイル状に巻き、１次側パイプ２３をコイル巻きの内側を通すようにしても温水熱交換器２２の大きさは変わらない。また、追い焚き能力をさらに向上させるために、１次側パイプ２３と２次側パイプ２４共にコイル状に巻いた構成とすることもでき、いずれの構成とも温水熱交換器２２内に熱交換パイプ２１を無駄なく納めることができ、結果として温水熱交換器２２を小型化することができる。
【００２８】
また、貯湯タンク２内の湯温は上部側が高温となり、貯湯タンク２の上部より取り入れた湯を温水熱交換器２２内に循環させることにより、短時間で浴槽水の追い焚きができる。
【００２９】
また、電気温水器は設置床面積を小さくするために、製品の高さを高くすることにより貯湯容量の大型化に対応しており、その為、貯湯タンク２も縦長の円筒形状が主流となっており、本実施例のように温水熱交換器２２を貯湯タンク２の近傍かつ製品１のコーナー部に並立するように配置すれば、製品１外装と貯湯タンク２との隙間を利用して温水熱交換器２２を納めることができ、設置床面積を大きくすることなしに、使い勝手の良い電気温水器を供給することができる。
【００３０】
（実施例２）
図３（ａ）は本発明の実施例２における温水熱交換器内蔵型貯湯タンクユニットのシステム構成図、図３（ｂ）は実施例２の温水熱交換器の部分断面図である。
【００３１】
図３（ａ）、図３（ｂ）において、２２は温水熱交換器で、第１熱交換パイプ２９と、その主要部が第１熱交換パイプの上方に位置する第２熱交換パイプ３０を備えている。第１熱交換パイプ２９は１次側となるコイル状に巻いた部分のある１次側下パイプ３１（ＩＮ側）と、コイル状に巻いた部分の内側を通り２次側となる２次側下パイプ３２（ＯＵＴ側）を一体的に接続することより構成されている。第２熱交換パイプ３０は１次側となるコイル状に巻いた部分のある１次側上パイプ３３（ＩＮ側）と、コイル状に巻いた部分の内側を通り２次側となる２次側上パイプ３４（ＯＵＴ側）を一体的に接続し、第２熱交換パイプ３０の１次側上パイプ３３と２次側上パイプ３４は共に第１熱交換パイプ２９のコイル状に巻いた部分の内側を通るようになっている。３５は１次側連結パイプで、第１熱交換パイプ２９の１次側下パイプ３１と、第２熱交換パイプ３０の１次側上パイプ３３を一体化する。３６は２次側連結パイプで、第１熱交換パイプ２９の２次側下パイプ３２と、第２熱交換パイプ３０の２次側上パイプ３４を一体化する。すなわち、１次側連結パイプ３５と２次側連結パイプ３６により第１熱交換パイプ２９と第２熱交換パイプ３０を一本化した構成は実施例１の温水熱交換器２２と同様の機能を有するものとなる。温水熱交換器２２は、貯湯タンク２と往き側パイプ２５と戻り側パイプ２６により接続されており、戻り側パイプ２６には貯湯タンク２の湯を温水熱交換器２２内に導き、第１熱交換パイプ２９と第２熱交換パイプ３０で熱交換させた後に再び湯を貯湯タンク２へと戻す循環ポンプ２７が取り付けられている。
【００３２】
次に以上のような構成にて浴槽水の追い焚き動作について説明する。浴槽水は一定時間ごとに風呂循環ポンプ２０を駆動して戻り配管１６から温水熱交換器２２を通って往き配管１５で浴槽１４に戻される。この間に、ふろサーミスタ１９で浴槽水の温度を検出し、設定温度より低ければ循環ポンプ２７が駆動し、貯湯タンク２の湯を温水熱交換器２２内に循環させ第１熱交換パイプ２９と第２熱交換パイプ３０で浴槽水を加熱するようになっている。浴槽水が設定温度に回復すると風呂循環ポンプ２０と循環ポンプ２７は停止し、追い焚き動作が完了する。尚、本実施例では、１次側下パイプ３１と１次側上パイプ３３をコイル状に巻き、２次側下パイプ３２と２次側上パイプ３４をコイル巻きの内側を通すようにしたが、２次側下パイプ３２と２次側上パイプ３４をコイル状に巻き、１次側下パイプ３１と１次側上パイプ３３をコイル巻きの内側を通すようにしても温水熱交換器２２の大きさは変わらない。また、第１熱交換器２９と第２熱交換器３０をそれぞれ１次側連結パイプ３５と２次側連結パイプ３６により１本化せずに、第１熱交換器のみを浴槽水の追い焚き用に使用し、第２熱交換器を温水循環式の浴室乾燥機用などに使用することも可能である。そして、いずれの構成とも温水熱交換器２２内に第１熱交換パイプ２９と第２熱交換パイプ３０を無駄なく納めることができ、結果として温水熱交換器２２を小型化することができる。
【００３３】
以上の説明から明らかなように、本実施例に記載した温水熱交換器内蔵型貯湯タンクユニットによれば、温水熱交換器を小型化することができ、さらに、温水熱交換器が小型化できることにより熱交換パイプに沿って貯湯タンクの湯が循環することと、温水熱交換器表面からの放熱量を低減できることにより熱交換率を向上させることができ、経済的で日本の住宅事情に適マッチた機器を提供することができる。
【００３４】
また、本実施例の温水熱交換器内蔵型貯湯タンクユニットによれば、２つの熱交換パイプを備えたとしても、温水熱交換器の高さ方向のみを大きくすればよく、１次熱交換パイプと２次熱交換パイプの各々の１次側同士と、２次側同士を一体的に接続すれば、電気温水器の設置床面積を大きくすることなしに温水熱交換器の能力を向上できる。
【００３５】
また、コイル状に巻いた熱交換パイプの内側を通る熱交換パイプが温水熱交換器内を循環する流れの抵抗となり、攪拌効果により熱交換率が向上し、さらに熱交換器を小型化することができる。
【００３６】
また、さらに高温の湯が貯められている貯湯タンクの上部より取り入れた湯を、温度の下がった浴槽水の流れる１次側と対向するように循環させながら熱交換するので、より短時間で効率良く風呂の追い焚きが行えるとともに、熱交換率のさらなる向上によりさらに温水熱交換器を小型化することが可能となる。
【００３７】
また、１次側と熱交換した後の温度の下がった湯が流れる、温水熱交換器から貯湯タンクへの戻り側に循環ポンプを接続することにより、循環ポンプにかかる熱的ストレスが低減され、循環ポンプの劣化を防ぐことができる。
【００３８】
また、高温の湯が貯められている貯湯タンクの上部より取り入れた湯を、第１熱交換パイプの１次側および第２熱交換パイプの１次側と対向するように循環させながら熱交換するので、効率良く熱交換することができる。そして、１次熱交換パイプと２次熱交換パイプの各々の１次側同士と、２次側同士を一体的に接続すれば、電気温水器の設置床面積を大きくすることなしに温水熱交換器の能力を向上できるだけでなく、温水熱交換器のさらなる小型化と、温水熱交換器から貯湯タンクへ戻る湯温をより低下でき、熱的ストレスによる循環ポンプの劣化が防げる。
【００３９】
また、最も高温の湯が循環する第２熱交換パイプを負荷の大きな浴槽水の追い焚き用とし、第１熱交換パイプを負荷の小さな他の機器に使用とすることも可能である。
【００４０】
【発明の効果】
以上より、本発明によれば、電気温水器などに内蔵されている風呂の追い焚き用の温水熱交換器を小型化するにより、経済的で日本の住宅事情にマッチした機器を提供することが可能となる。
【図面の簡単な説明】
【図１】（ａ）本発明の実施例１における温水熱交換器内蔵型貯湯タンクユニットのシステム構成図
（ｂ）実施例１の温水熱交換器の部分構成図
（ｃ）実施例１の温水熱交換器の構成図
【図２】実施例１の製品の部分断面斜視図
【図３】（ａ）本発明の実施例２における温水熱交換器内蔵型貯湯タンクユニットのシステム構成図
（ｂ）は実施例２の温水熱交換器の部分構成図
【図４】（ａ）従来の温水熱交換器内蔵型貯湯タンクユニットのシステム構成図
（ｂ）従来の温水熱交換器内蔵型貯湯タンクユニットのシステム構成図
【符号の説明】
２　貯湯タンク
１４　浴槽
２０　風呂循環ポンプ
２１　熱交換パイプ
２２　温水熱交換器
２３　１次側パイプ（１次側）
２４　２次側パイプ（２次側）
２７　循環ポンプ
【図１】
2004144366.tif 000003
【図２】
2004144366.tif 000004
【図３】
2004144366.tif 000005
【図４】
2004144366.tif 000006